(57)【要約】【課題】  片面記録しかできない場合でも両面通信が可能であり、記録時には片面記録による出力が可能な通信端末装置を提供する。【解決手段】  主制御部１１は、通信部１６を介して送信元から両面画像を受信したとき、記録部１５が片面記録しかできない場合には、受信した両面画像を片面画像として記録部１５に記録させる。このとき、通信相手先から送信されずに受信画像が存在しないスキップ頁については、記録しないようにしたり、スキップされた旨を示す記録出力を行うようにしたり、あるいは、いずれかを選択できるようにする。または、頁の情報を付加して片面記録させる場合に、スキップ頁についても頁の情報を記録する。【選択図】  図１
2005094816.tif 000002
【特許請求の範囲】
【請求項１】
通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁については記録させないことを特徴とする通信端末装置。
【請求項２】
通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁についてスキップされた旨を示す記録出力を行わせることを特徴とする通信端末装置。
【請求項３】
通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁について、設定に従って、記録せずにスキップするかあるいはスキップされた旨を示す記録出力を行うことを特徴とする通信端末装置。
【請求項４】
通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像に頁の情報を付加して前記記録手段に片面記録させる場合に、前記通信相手先から送信されずに受信画像が存在しないスキップ頁についても頁の情報を記録することを特徴とする通信端末装置。
【発明の詳細な説明】
【技術分野】
【０００１】
本発明は、両面通信機能を有する通信端末装置に関するものである。
【背景技術】
【０００２】
近年、両面記録を指定した通信手順による通信が可能な通信端末装置が開発されている。このような両面通信手順による通信が可能な通信端末装置同士では、両面原稿の表裏に描かれている画像を送信側で両面読取して両面通信手順で送信することによって、受信側で記録紙の両面に画像を記録させることができる。これによって、送信側の両面原稿と同様の記録出力を受信側で得ることができる。
【０００３】
しかし、両面記録を行うためには、記録紙を反転させる機構が必要になるなど、装置が大型化するとともに、装置が高価になってしまう。また、記録方式によっては両面記録を行うことができない場合もある。さらに、両面記録が可能であっても反転機構の故障などによって片面のみしか記録できない場合もある。
【０００４】
このように片面記録しかできない場合に送信元の通信相手先に対して片面通信能力しか有していない旨の通知を行うと、送信元で両面通信手順による通信を予定していた場合にエラーとなってしまう場合があった。そのため、送信元において改めて片面送信を指示して原稿の送信操作をやり直す必要があり、送信元に負担を掛けてしまうという問題があった。
【０００５】
【特許文献１】特開平９−２８４４３８号公報
【特許文献２】特開平１０−２６２１３３号公報
【特許文献３】特開２０００−１５１８７２号公報
【特許文献４】特開平６−３１９０３１号公報
【発明の開示】
【発明が解決しようとする課題】
【０００６】
本発明は、上述した事情に鑑みてなされたもので、通信は送信元に合わせて両面通信手順により通信が可能であり、記録時には片面記録による出力が可能な通信端末装置を提供することを目的とするものである。
【課題を解決するための手段】
【０００７】
本願請求項１に記載の発明は、通信端末装置において、通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁については記録させないことを特徴とするものである。
【０００８】
本願請求項２に記載の発明は、通信端末装置において、通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁についてスキップされた旨を示す記録出力を行わせることを特徴とするものである。
【０００９】
本願請求項３に記載の発明は、通信端末装置において、通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像を前記記録手段に片面記録させる場合に、前記通信相手先から送信されずに受信画像が存在しないスキップ頁について、設定に従って、記録せずにスキップするかあるいはスキップされた旨を示す記録出力を行うことを特徴とするものである。
【００１０】
本願請求項４に記載の発明は、通信端末装置において、通信相手先との通信を行う通信手段と、画像を被記録媒体上に記録する記録手段と、前記通信手段を介して両面通信手順による通信が可能であり通信相手先から画像を両面受信して前記記録手段に記録させる制御手段を有し、前記制御手段は、両面受信した画像に頁の情報を付加して前記記録手段に片面記録させる場合に、前記通信相手先から送信されずに受信画像が存在しないスキップ頁についても頁の情報を記録することを特徴とするものである。
【発明の効果】
【００１１】
以上の説明から明らかなように、本発明によれば、片面記録しか行えない場合でも両面通信により両面画像を受信することが可能となり、送信側に改めて片面で送信し直してもらうといった負担をかけずに済む。また、記録手段が両面記録できなくなった場合でも、片面記録可能であれば受信した両面画像を記録出力させることができる。また、両面通信時には白紙頁については送信しなくてよい規約になっているため、受信画像が存在しないスキップ頁に対応することができるという効果がある。
【発明を実施するための最良の形態】
【００１２】
図１は、本発明の通信端末装置の実施の一形態を示すブロック図である。図中、１１は主制御部、１２は表示部、１３は操作部、１４は読取部、１５は記録部、１６は通信部、１７はＮＣＵ、１８はモデム、１９は画像メモリ、２０はＲＡＭ、２１はＲＯＭ、２２はバスである。
【００１３】
主制御部１１は、通信端末装置全体を制御し、通信部１６を介した画像送受信機能などを実現する。特に両面送受信機能を有しており、通信相手先が両面通信可能であれば両面通信を行う。両面受信時に記録部１５で両面記録が行えない場合には、両面画像を片面画像として記録部１５に記録させる。このとき、少なくとも裏面の画像には裏面であることを示す情報を付加して記録させる。裏面であることを示す情報を画像として付加する位置は記録する画像の上や下など、任意である。また、両面通信では白紙画像についてはスキップすることができるが、スキップされた頁については記録せずにスキップしたり、あるいはスキップされた旨を示す記録出力を行うことができる。さらに、片面記録を行う際には、表面及び裏面の画像を並べて１頁の画像として記録出力させることもできる。この場合、記録部１５に装填されている記録可能な用紙の向き及び大きさに応じて適宜回転、縮小を行う。なお、このように両面画像を片面画像として記録出力させた場合には、片面画像として記録したことを示すメッセージを、例えば表示部１２に表示したり、記録部１５から記録出力する。もちろん、両面画像を片面記録せずに、記録部１５で両面記録が可能となるまで画像メモリ１９に蓄積しておいてもよい。その場合に、他の片面受信した画像を記録する場合には、両面画像が待機状態である旨のメッセージを表示部１２に表示したり、記録部１５から片面記録出力するとよい。
【００１４】
表示部１２は、利用者に対するメッセージや、装置の状態を示すメッセージ、操作ガイダンスなど、種々の情報を表示することができる。特に、両面画像を片面画像として記録出力した場合や、両面画像を片面記録しない設定において両面記録ができなくなった場合には、その旨を示すメッセージを表示することができる。操作部１３は、利用者が各種の設定や指示を行うことができる。このとき、表示部１２を利用しながら行うことができる。特にここでは、予め両面受信時に記録部１５で片面記録しか行えなかった場合の設定、例えば片面記録を行うか否か、片面記録を行う場合に、表裏を１頁に合成して記録するか否か及び受信しなかった頁（スキップ頁）を記録するか否かなどを設定することができる。
【００１５】
読取部１４は、主制御部１１による制御に従い、送信すべき原稿上の画像を読み取る。読取部１４の構成は任意であり、例えば原稿を搬送しながら読み取るＡＤＦ（オートドキュメントフィーダ）方式や、原稿をプラテンガラス上に載置して読み取るフラットベッド型の読取方式、さらには２次元素子によるカメラ方式などを利用することができる。なお、この読取部１４を設けずに構成することも可能である。
【００１６】
記録部１５は、主制御部１１の制御に従って、通信部１６で受信した画像、あるいは読取部１４で読み取った画像、さらには各種の設定情報や管理情報、利用者に対するメッセージなどを記録紙上に形成する。ここでは記録部１５は両面記録が可能であるものとするが、これに限られるものではなく、片面記録のみが可能であってもよい。また、例えば用紙反転部のエラーや両面記録紙の紙切れなど、何らかの原因で両面記録ができなくなった場合に、片面記録が可能であれば片面記録を続けることができるものとする。記録方法としては、例えば電子写真方式や、感熱方式、熱転写方式、インクジェット方式など、種々の方式を採用することができる。
【００１７】
通信部１６は、例えば公衆回線や専用線などを介して、通信相手先の機器との通信を行う。ＮＣＵ１７は、回線などの制御を行う。また、モデム１８は、送受信する画像データの変復調を行う。
【００１８】
画像メモリ１９は、送信する画像や受信した画像、読取部１４で読み取った画像、その他処理中の画像等を記憶することができる。以下の説明では、受信した画像は、一旦、この画像メモリ１９に格納されるものとしている。画像メモリ１９に画像を格納する際には、圧縮された状態で格納するとよい。ＲＡＭ２０は、主制御部１１や他の各部の処理においてデータの保存が必要なときに用いられる。ＲＯＭ２１は、主制御部１１の動作を規定したプログラムや、固定的なデータなどが格納されている。
【００１９】
バス２２は、主制御部１１、表示部１２、操作部１３、読取部１４、記録部１５、通信部１６（ＮＣＵ１７、モデム１８）、画像メモリ１９、ＲＡＭ２０、ＲＯＭ２１等を相互に接続しており、これらの間のデータ転送を可能にしている。これらのほか、各種の機器がバス２２に接続されていてもよい。また、例えばバス２２にインタフェースを接続し、そのインタフェースを介してコンピュータやプリンタなどの外部機器やＬＡＮ等と接続されていてもよい。
【００２０】
図２、図３は、本発明の通信端末装置の実施の一形態における画像受信時の動作の一例を示すフローチャートである。なお、画像の受信を行う前に、両面受信時に記録部１５が両面記録を行うことができない場合に片面記録を行うか否か、及び、片面記録を行う場合に表面と裏面の画像をそれぞれ１頁ずつの画像として記録するか表面と裏面の画像を１頁の画像に合成して記録するか、さらに、表面と裏面の画像をそれぞれ１頁ずつの画像として記録する場合に受信しなかった頁（スキップ頁）を記録出力するか否かなどを設定しておく。もちろん、デフォルトの設定のままであってもよい。
【００２１】
送信元となる通信相手先から着信すると、通信手順に従って各種の信号のやりとりを行う。この中で、通信相手先に対して自己の受信能力として両面受信が可能である旨を伝える。これによって、通信相手先が両面通信を予定している場合には、そのまま両面通信を実行することができる。その後、トレーニングなどが行われ、実際に画像が伝送される。伝送されてきた画像をＳ３１において受信し、受信した画像を画像メモリ１９に一旦格納する。なお、両面通信を行っている場合には、画像受信後の手順信号中に画像の頁及び表か裏かの別などの情報が付加されているので、それらの情報についても画像と対応付けて画像メモリ１９あるいはＲＡＭ２０に格納しておくとよい。
【００２２】
画像の受信が終了したら、受信した画像の記録処理を行う。まずＳ３２において、記録する画像を、通信時に片面画像として受信したか、あるいは両面画像として受信したかを判定する。片面画像として受信した場合には、Ｓ３９において、受信した画像を片面画像として扱い、記録部１５において記録紙の片面に記録する。
【００２３】
両面画像として受信した画像を記録する場合には、Ｓ３３において記録部１５が両面記録可能か否かを判定し、両面記録可能であればＳ３４において表裏の画像を記録紙の両面に記録する。Ｓ３８において全頁の記録を終了したか否かを判定し、まだ記録していない頁の画像が残っている場合には、Ｓ３３に戻って記録処理を続ける。
【００２４】
Ｓ３３で記録部１５が両面記録を行うことができないと判定された場合には、Ｓ３５において、両面画像は必ず両面記録を行う設定になっているか否かを判定する。両面画像については必ず両面記録を行う設定の場合には、記録部１５は両面記録ができないので、Ｓ３６において両面記録ができない旨を表示部１２に表示したり、あるいは記録部１５から片面記録によって記録出力する。例えば「両面記録ができなくなりました。続きの受信原稿があります」といったメッセージを表示あるいは記録出力することができる。そして、他の片面記録でよい記録処理に移行する。なお、残りの両面画像については、記録部１５において両面記録が可能になった後に、Ｓ３３へ戻って記録を再開すればよい。
【００２５】
記録部１５で両面記録が行えなくなり、そのときの設定が両面画像については必ず両面記録を行う設定ではない場合には、Ｓ３７において、両面画像を片面画像として記録を行う。このときの処理を図３に示している。ここでは、両面画像を片面画像として記録する際に、表面と裏面の画像をそれぞれ片面１頁ずつとして２枚の記録紙に記録する方法と、表面の画像と裏面の画像を１つの画像に合成して記録する方法の２つの方法を利用可能にしている。Ｓ４１においていずれの方法を用いる設定になっているかを判定する。
【００２６】
表裏の画像を合成せずに２枚の記録紙に片面記録する設定の場合には、Ｓ４２において、両面画像を片面２枚形式で記録した旨を例えば表示部１２などに表示させる。そして、まず表面の画像についての記録処理を行う。Ｓ４３において該当頁の表面画像が存在しているか否かを判定する。この判定は、両面通信時には白紙頁については送信しなくてよい規約になっているため、受信画像が存在しない場合に対応するために設けられている。このように送信されずに受信画像が存在しない頁をスキップ頁とここでは呼んでいる。
【００２７】
該当頁の表面画像が存在していれば、Ｓ４４においてその表面画像を１頁分、記録紙の片面に記録させる。このとき、記録面の一部に第ｎ頁の画像である旨を付加しておくとよい。また、該当頁の表面画像が存在しない場合には、Ｓ４５において、スキップ頁を記録する設定か否かを判定する。スキップ頁を記録しない設定であれば表面についてはなにもしない。スキップ頁を記録する設定であればＳ４６において、該当頁の画像を受信していない旨、例えば「スキップ頁」、あるいは「空白頁」などといったメッセージを記録紙の片面に記録出力する。この場合も、第ｎ頁である旨を付加しておくとよい。また、第ｎ頁である旨を、スキップ頁である旨のメッセージの代わりに記録出力しても良い。
【００２８】
このようにして表面の画像についての記録処理が終了したら、次に裏面の画像についての記録処理を行う。裏面の画像についても表面と同様であり、まずＳ４７において該当頁の裏面画像が存在しているか否かを判定する。該当頁の裏面画像が存在していれば、Ｓ４８においてその裏面画像を１頁分、記録紙の片面に記録させる。このとき、記録面の一部に第ｎ頁の裏面の画像である旨を付加しておくとよい。また、該当頁の裏面画像が存在しない場合には、Ｓ４９において、スキップ頁を記録する設定か否かを判定する。スキップ頁を記録しない設定であれば裏面についてはなにもしない。スキップ頁を記録する設定であればＳ５０において、該当頁の画像を受信していない旨、例えば「スキップ頁」、あるいは「空白頁」などといったメッセージを記録紙の片面に記録出力する。この場合も、第ｎ頁の裏面の画像である旨を付加しておくとよい。また、第ｎ頁の裏面の画像である旨を、スキップ頁である旨のメッセージの代わりに記録出力しても良い。
【００２９】
図４は、両面画像の表面及び裏面をそれぞれ１頁の画像として片面記録した場合の記録画像の一例の説明図である。記録部１５で両面記録を行うことができず、両面画像の表裏の画像をそれぞれ１頁ずつの片面記録を行う設定の場合には、図４（Ａ）に示すように、受信した両面画像の表面画像及び裏面画像はそれぞれ１頁ずつの記録紙に片面記録される。このとき、表面画像には例えば図４（Ｂ）に示すように「第ｎ頁」といった画像が付加され、裏面画像には例えば図４（Ｃ）に示すように「第ｎ頁の裏面」といった画像が付加される。これによって、記録出力された各記録紙の画像が、どの表面の画像に対応する裏面の画像であるのかが分かるようになる。また、スキップ頁を記録する設定では、全白画像を送信側で検出して送られてこなかった場合でも、必ず第ｎ頁と記録された記録紙と「第ｎ頁の裏面」と記録された記録紙とが存在することになる。そのため、表裏の対応をとりやすくなるとともに、受信しなかったことを通信エラーと誤ることがなくなる。特にスキップ頁である旨を記録するので、記録紙の重走などによる白紙出力とも区別することができる。
【００３０】
なお、スキップ頁を記録しない設定では、図４（Ｂ）あるいは図４（Ｃ）のいずれかが存在しない場合があり得る。この場合、白紙画像が記録されないため、記録紙を節約することができる。
【００３１】
図３に戻り、表面の画像と裏面の画像を１つの画像に合成して記録する設定の場合には、Ｓ４１でこれを検出し、Ｓ５１において、両面画像を合成して記録した旨を例えば表示部１２などに表示させる。そして、Ｓ５２において表面の画像と裏面の画像を１頁に合成し、Ｓ５３において、合成した画像を記録部１５で記録出力する。
【００３２】
図５は、表面及び裏面の画像を１頁の画像として合成する場合の記録画像の一例の説明図である。表面の画像と裏面の画像を１頁の画像に合成する際に、９０度回転などを必要とする場合がある。例えば図５（Ａ）に示すように縦長の画像を、その画像の２倍の大きさの縦長の画像に合成する場合、表面及び裏面の画像は図５（Ｂ）に示すように９０度回転して上下に合成することになる。例えば表面及び裏面の画像の大きさがＡ４であり、Ａ３画像として合成する場合がこの例に該当する。等倍以外でも、例えば表面及び裏面の画像の大きさがＡ４であり、Ｂ４画像として合成する場合には、縮小及び９０度回転の後、上下に合成すればよい。
【００３３】
また、図５（Ｃ）に示すように表面及び裏面の画像が横長の画像である場合であって、その画像の２倍の大きさの縦長の画像として合成する場合には、そのまま回転せずに上下に合成すればよい。例えば表面及び裏面の画像の大きさがＡ４横長（これをＡ４Ｒのように‘Ｒ’を付して示す）であり、縦長のＡ３画像として合成する場合がこの例に該当する。等倍以外でも、例えば表面及び裏面の画像の大きさがＡ４Ｒであり、縦長のＢ４画像として合成する場合には、縮小の後、上下に合成すればよい。逆に、図５（Ｅ）に示すように表面及び裏面の画像の大きさがＡ４縦長であり、Ａ４Ｒの画像として合成する場合についても、図５（Ｆ）に示すように、表面及び裏面の画像を９０度回転せずに、縮小して左右に合成すればよい。等倍（表裏Ｂ５からＢ４Ｒなど）の場合も同様である。
【００３４】
なお、このように表面と裏面の画像を１頁の画像に合成したとき、裏面の画像の領域に裏面画像であることを示す情報を付加しておくとよい。もちろん、上述の２枚形式で記録する場合と同様に、表面画像に「第ｎ頁」、裏面画像に「第ｎ頁の裏面」といった情報を付加してもよい。
【００３５】
このようにして表面及び裏面の画像を１頁の画像に合成して記録部１５で記録出力することによって、記録出力された記録紙を半分に折り曲げれば、両面記録を行った場合と同様の表裏関係の記録物を得ることができる。なお、図５に示した組み方は一例であり、例えば綴じ位置などに応じて組み方を変更してもよい。
【００３６】
上述のようにして両面画像の表面及び裏面の画像をそれぞれ１頁ずつ記録した後、図２のＳ３８へ進み、全頁の記録を終了したか否かを判定し、未記録の頁が残っていればＳ３３へ戻って記録処理を続ける。両面画像を片面画像として記録している間に、記録部１５で両面記録が可能となった場合には、次の頁から両面記録に復帰することができる。もちろん設定によって、一度片面記録を開始したら両面記録に戻らないようにしても良い。
【００３７】
なお、上述の説明では記録部１５が両面記録可能であるものとして説明したが、記録部１５がもともと片面記録しかできない構成であってもよい。その場合には、上述の動作の一例におけるＳ３３及びＳ３４の処理を行わなければよい。また、Ｓ３５及びＳ３６の処理も不要である。
【００３８】
また、上述の説明では、受信した画像を一旦画像メモリ１９に格納してから記録出力するものとして説明したが、受信した画像を即時記録する場合についても、記録部１５の両面記録の可否に応じ、両面記録できない場合には片面画像として記録を行わせることができる。このとき、例えば両面通信時に表面の画像を連続して送信した後に裏面画像を連続して送信する連続モードによる通信が行われる場合がある。上述のように「第ｎ頁」、「第ｎ頁の裏面」といった情報を付加して記録しておけば、連続モードで受信した場合でも、後で表裏の画像を対応付ける作業が容易になる。
【図面の簡単な説明】
【００３９】
【図１】本発明の通信端末装置の実施の一形態を示すブロック図である。
【図２】本発明の通信端末装置の実施の一形態における画像受信時の動作の一例を示すフローチャートである。
【図３】本発明の通信端末装置の実施の一形態における画像受信時の動作の一例を示すフローチャート（続き）である。
【図４】両面画像の表面及び裏面をそれぞれ１頁の画像として片面記録した場合の記録画像の一例の説明図である。
【図５】表面及び裏面の画像を１頁の画像として合成する場合の記録画像の一例の説明図である。
【符号の説明】
【００４０】
１１…主制御部、１２…表示部、１３…操作部、１４…読取部、１５…記録部、１６…通信部、１７…ＮＣＵ、１８…モデム、１９…画像メモリ、２０…ＲＡＭ、２１…ＲＯＭ、２２…バス。
【図１】
2005094816.tif 000003
【図２】
2005094816.tif 000004
【図３】
2005094816.tif 000005
【図４】
2005094816.tif 000006
【図５】
2005094816.tif 000007